Podtech/llm-jp-corpus-v4-ja_patent huggingface dataset:
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御する遊技機であって、
前記有利状態に制御するか否かを決定する決定手段と、
前記有利状態に制御されるか否かを、前記決定手段による決定前に判定する開始前判定手段と、
前記開始前判定手段による判定の対象となった可変表示が実行されるより前に、演出態様に応じて前記有利状態に制御される可能性を報知する報知演出を実行可能な報知演出実行手段と、
前記報知演出が終了した後の特定タイミングにて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出を実行する変更演出実行手段とを備え、
前記報知演出実行手段は、前記報知演出として、演出態様を１段階から複数段階まで段階的に変化させ、前記有利状態に制御される場合に前記有利状態に制御されない場合よりも高い割合で多い段階まで演出態様を変化させ、
前記報知演出の段階数に応じて、前記有利状態に制御される割合が異なり、
前記変更演出実行手段は、
前記報知演出の段階数を示す演出を、より多い段階数を示す演出に変更して表示するとともに、
前記報知演出を最初から繰り返さずに、前記報知演出の段階数を示す演出に対して前記変更演出を実行する、
ことを特徴とする遊技機。
【手続補正２】
【補正対象書類名】明細書
【補正対象項目名】０００７
【補正方法】変更
【補正の内容】
【０００７】
（１）上記目的を達成するため、本願の請求項に係る遊技機は、可変表示を行い、遊技者にとって有利な有利状態（例えば大当り遊技状態など）に制御する遊技機（例えばパチンコ遊技機１など）であって、前記有利状態に制御するか否かを決定する決定手段（例えばステップＳ２４０、Ｓ２４１の処理を実行する遊技制御用マイクロコンピュータ１００のＣＰＵ１０３など）と、前記有利状態に制御されるか否かを、前記決定手段による決定前に判定する開始前判定手段と、前記開始前判定手段による判定の対象となった可変表示が実行されるより前に、演出態様に応じて前記有利状態に制御される可能性を報知する報知演出（例えばメッセージ予告、ステップアップ予告、再変動演出、リーチ成立時予告、あるいはノーマルもしくはスーパーＡのリーチ演出など）を実行可能な報知演出実行手段（例えばステップＳ５４３、Ｓ５４５、Ｓ５４７の処理を実行する演出制御用ＣＰＵ１２０など）と、前記報知演出が終了した後の特定タイミング（例えばタイミングＴＭ０１〜ＴＭ０３のいずれかなど）にて、前記報知演出実行手段により実行された前記報知演出の演出態様を示す演出を表示した後に、該表示した演出態様に対して所定の作用を実行することにより前記有利状態に制御される可能性がより高い演出態様を示す演出に変更して表示する変更演出を実行する変更演出実行手段（例えばステップＳ５４９の期待度昇格演出処理を実行する演出制御用ＣＰＵ１２０など）とを備え、前記報知演出実行手段は、前記報知演出として、演出態様を１段階から複数段階まで段階的に変化させ、前記有利状態に制御される場合に前記有利状態に制御されない場合よりも高い割合で多い段階まで演出態様を変化させ、前記報知演出の段階数に応じて、前記有利状態に制御される割合が異なり、前記変更演出実行手段は、前記報知演出の段階数を示す演出を、より多い段階数を示す演出に変更して表示するとともに、前記報知演出を最初から繰り返さずに、前記報知演出の段階数を示す演出に対して前記変更演出を実行する。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
前記有利状態に制御するか否かを決定する決定手段と、
前記決定手段の決定結果にもとづいて、可変表示中に複数種類の特定演出のいずれかを実行可能な特定演出実行手段と、
可変表示に関する情報を保留記憶情報として記憶する保留記憶手段と、
保留記憶情報に対応して第１の表示態様と第２の表示態様とのいずれかにより保留表示を表示する保留表示手段と、
前記決定手段による決定前に、前記有利状態に制御されるか否かを判定する判定手段と、
前記判定手段の判定結果にもとづいて、前記判定手段の判定の対象となった保留表示である対象保留表示について、前記第２の表示態様により前記保留表示手段に表示させる保留予告演出を実行する保留予告演出実行手段と、
前記特定演出の実行にもとづいて前記保留表示手段の保留表示を非表示状態とする非表示制御を実行し、前記特定演出の終了にもとづいて前記保留表示手段の保留表示を表示状態とする表示制御を実行する保留表示制御手段と
を備え、
前記保留記憶情報が生じたタイミングにて前記非表示制御が実行されている場合には、前記保留予告演出が実行されず、
前記非表示制御が終了して前記表示制御が実行されることにもとづいて、前記第１の表示態様で保留表示が表示され、
複数種類の前記特定演出のうちいずれが実行されるかに応じて、前記非表示状態となる期間が異なり、
前記非表示状態となる期間に対応する前記特定演出の実行期間に応じて、当該特定演出が実行される可変表示にもとづいて前記有利状態に制御される割合が異なる
ことを特徴とする遊技機。
【手続補正２】
【補正対象書類名】明細書
【補正対象項目名】００１１
【補正方法】変更
【補正の内容】
【００１１】
（手段１）本発明による遊技機は、可変表示を行い、遊技者にとって有利な有利状態に制御可能な遊技機（例えば、大当り遊技状態）であって、有利状態に制御するか否かを決定する決定手段と、決定手段の決定結果にもとづいて、可変表示中に複数種類の特定演出のいずれかを実行可能な特定演出実行手段と、可変表示に関する情報を保留記憶情報として記憶する保留記憶手段（例えば、第１保留記憶バッファ、第２保留記憶バッファ）と、保留記憶情報に対応して第１の表示態様（例えば、緑色の丸形表示）と第２の表示態様（例えば、青色、赤色、虹色の丸形表示）とのいずれかにより保留表示を表示する保留表示手段（例えば、第１保留記憶表示部９ａ、第２保留記憶表示部９ｂ）と、決定手段による決定前に、有利状態に制御されるか否かを判定する判定手段（例えば、遊技制御用マイクロコンピュータ５６０におけるステップＳ１２１７Ａ，Ｓ１２１７Ｂを実行する部分）と、判定手段の判定結果にもとづいて、判定手段の判定の対象となった保留表示である対象保留表示について、第２の表示態様により保留表示手段に表示させる保留予告演出を実行する保留予告演出実行手段と、特定演出の実行にもとづいて保留表示手段の保留表示を非表示状態とする非表示制御を実行し、特定演出の終了にもとづいて保留表示手段の保留表示を表示状態とする表示制御を実行する保留表示制御手段（例えば、演出制御用マイクロコンピュータ１００におけるステップＳ８１０６〜Ｓ８１１４を実行する部分）とを備え保留記憶情報が生じたタイミングにて非表示制御が実行されている場合には、保留予告演出が実行されず、非表示制御が終了して表示制御が実行されることにもとづいて、第１の表示態様で保留表示が表示され、複数種類の特定演出のうちいずれが実行されるかに応じて、非表示状態となる期間が異なり、非表示状態となる期間に対応する特定演出の実行期間に応じて、当該特定演出が実行される可変表示にもとづいて有利状態に制御される割合が異なることを特徴とする。そのような構成により、非表示制御から表示制御に移行したときに保留予告演出が既に実行されているような事態を防止し、遊技に対する興趣を低下させてしまうことを防止することができる。
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
内視鏡システムであって、
内径を有する器具チャンネルを備える内視鏡と、
カテーテルおよび少なくとも１つのバルーンを備える、膨張／収縮可能なバルーンアッセンブリを具備する固定アッセンブリとを具備し、収縮する場合には、収縮したバルーン軸に沿った第１の方向に配置可能になり、および、膨張することによって、前記収縮したバルーン軸に対して傾いた、膨張したバルーン軸に沿った、第２の非対称形状方向に配置可能になる、内視鏡システム。
【請求項２】
請求項１記載の内視鏡システムにおいて、
前記膨張／収縮可能なバルーンアッセンブリは、前記器具チャンネルの中を通過できるほど十分に小さい断面サイズに収縮できる、内視鏡システム。
【請求項３】
請求項１または請求項２記載の内視鏡システムにおいて、
前記器具チャンネルは、５ｍｍを超えない内径を有する、内視鏡システム。
【請求項４】
請求項１乃至３のいずれか一項記載の内視鏡システムにおいて、
前記膨張／収縮可能なバルーンアッセンブリは、断面寸法が少なくとも６０ｍｍに膨張できる、内視鏡システム。
【請求項５】
請求項１乃至４のいずれか一項記載の内視鏡システムにおいて、
前記少なくとも１つのバルーンは、実質的に延伸することなく膨張でき、前記器具チャンネルの内径よりも、少なくとも１３倍の直径を有し、患者の身体部分内の部位に固定できるほど、十分に大きい寸法を有する、内視鏡システム。
【請求項６】
内径を有する器具チャンネルを備える内視鏡を具備する、内視鏡システムと共に使用するための固定アッセンブリであって、
膨張／収縮可能なバルーンアッセンブリを備え、前記膨張／収縮可能なバルーンアッセンブリはカテーテルおよび少なくとも１つのバルーンを備え、収縮する場合には、収縮したバルーン軸に沿った第１の方向に配置可能になり、および、膨張することによって、前記収縮したバルーン軸に対して傾いた、膨張したバルーン軸に沿った、第２の非対称形状方向に配置可能になる、固定アッセンブリ。
【請求項７】
請求項６記載の固定アッセンブリにおいて、
前記膨張／収縮可能なバルーンアッセンブリは、前記器具チャンネルの中を通過できるほど十分に小さい断面サイズに収縮できる、固定アッセンブリ。
【請求項８】
請求項６または７記載の固定アッセンブリにおいて、
前記器具チャンネルは、５ｍｍを超えない内径を有する、固定アッセンブリ。
【請求項９】
請求項６乃至８のいずれか一項記載の固定アッセンブリにおいて、
前記膨張／収縮可能なバルーンアッセンブリは、断面寸法が少なくとも６０ｍｍに膨張できる、固定アッセンブリ。
【請求項１０】
請求項６乃至９のいずれか一項記載の固定アッセンブリにおいて、
前記少なくとも１つのバルーンは、実質的に延伸することなく膨張でき、前記器具チャンネルの内径よりも、少なくとも１３倍の直径を有し、患者の身体部分内の部位に固定できるほど、十分に大きい寸法を有する、固定アッセンブリ。
【手続補正書】
【提出日】平成29年7月3日(2017.7.3)
【手続補正１】
【補正対象書類名】特許請求の範囲
【補正対象項目名】全文
【補正方法】変更
【補正の内容】
【特許請求の範囲】
【請求項１】
始動領域に対する遊技球の通過状態に応じたレベルの信号を出力するスイッチ手段と、
前記スイッチ手段により出力される信号に基づいて、予め定められた間隔で繰り返し実行される反復処理により、前記始動領域を遊技球が通過したか否かを判定する判定手段と、
前記判定手段により前記始動領域を遊技球が通過したと判定された場合、遊技者に利益を提供するか否かを判定することが可能な利益提供判定手段と、
前記利益提供判定手段による判定結果に基づいて、遊技者に利益を提供することが可能な利益提供手段と、
前記利益提供判定手段による判定結果を報知する報知演出を実行する演出実行手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記始動領域を遊技球が通過したと判定する通過判定手段とを有し、
前記演出実行手段は、
前記報知演出において、遊技者に利益を提供する可能性が高いことを示唆する第１演出を実行可能にし、
前記第１演出において、遊技者に利益を提供することを示唆する第１当り演出を実行するときと、遊技者に利益を提供しない可能性があることを示唆するハズレ演出を実行するときとがあり、
前記ハズレ演出が実行された後に、遊技者に利益を提供する可能性があることを示唆する第２演出を実行可能にし、
前記第２演出において、遊技者に利益を提供することを示唆する第２当り演出を実行するときと、遊技者に利益を提供することを示唆する演出であって前記第２当り演出とは異なる第３当り演出を実行するときとがある、遊技機。
【請求項２】
前記利益提供手段は、
前記第１演出において前記第１当り演出が実行されたとき、遊技者に第１の利益を提供可能であり、
前記第２演出において前記第２当り演出が実行されたとき、遊技者に前記第１の利益よりも利益度合いが低い第２の利益を提供可能であり、
前記第２演出において前記第３当り演出が実行されたとき、遊技者に第３の利益を提供可能である、請求項１に記載の遊技機。
【請求項３】
始動領域に対する遊技球の通過状態に応じたレベルの信号を出力するスイッチ手段と、
前記スイッチ手段により出力される信号に基づいて、予め定められた間隔で繰り返し実行される反復処理により、前記始動領域を遊技球が通過したか否かを判定する判定手段と、
前記判定手段により前記始動領域を遊技球が通過したと判定された場合、遊技者に利益を提供するか否かを判定することが可能な利益提供判定手段と、
前記利益提供判定手段による判定結果に基づいて、遊技者に利益を提供することが可能な利益提供手段と、
前記利益提供判定手段による判定結果を報知する報知演出を実行する演出実行手段とを備え、
前記判定手段は、
前記スイッチ手段により出力された信号のレベルが所定の閾値レベルよりも第１方向に位置すると判定する第１判定、又は、当該信号のレベルが当該所定の閾値レベルまたは当該所定の閾値レベルよりも前記第１方向と反対の第２方向に位置すると判定する第２判定を行う信号レベル判定手段と、
第ｎ（ｎは自然数）回目の反復処理における１回の前記第１判定が行われてから第ｎ＋１回目の反復処理において前記第２判定が行われると、当該第ｎ＋１回目の反復処理において更に判定が行われ、当該判定が前記第２判定である場合に、前記始動領域を遊技球が通過したと判定する通過判定手段とを有し、
前記演出実行手段は、
前記報知演出において、遊技者に利益を提供する可能性が高いことを示唆する第１演出を実行可能にし、
前記第１演出において、遊技者に利益を提供することを示唆する第１当り演出を実行するときと、遊技者に利益を提供しない可能性があることを示唆する第１ハズレ演出を実行するときとがあり、
前記第１ハズレ演出が実行された後に、遊技者に利益を提供する可能性があることを示唆する第２演出を実行可能にし、
前記第２演出において、遊技者に利益を提供することを示唆する第２当り演出を実行するときと、遊技者に利益を提供しない可能性があることを示唆する第２ハズレ演出を実行するときとがある、遊技機。
【請求項４】
前記利益提供手段は、
前記第１演出において前記第１当り演出が実行されたとき、遊技者に第１の利益を提供可能であり、
前記第２演出において前記第２当り演出が実行されたとき、遊技者に第２の利益を提供可能であり、
前記第２演出において前記第２ハズレ演出が実行されたとき、遊技者に利益を提供しないことがある、請求項３に記載の遊技機。
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
遊技者に利益を提供するか否かを判定する利益提供判定手段と、
前記利益提供判定手段による判定結果に基づいて、遊技者に利益を提供することが可能な利益提供手段と、
前記利益提供判定手段による判定結果を報知する報知演出を実行する演出実行手段とを備え、
前記演出実行手段は、
前記報知演出において、遊技者に利益を提供する可能性が高いことを示唆する第１演出が実行されるか否かを示唆する前段演出を実行するとともに、当該前段演出の実行後、当該第１演出を実行可能にし、
前記第１演出において、遊技者に利益を提供することを示唆する第１当り演出を実行するときと、遊技者に利益を提供しない可能性があることを示唆するハズレ演出を実行するときとがあり、
前記ハズレ演出が実行された後に、遊技者に利益を提供する可能性があることを示唆する第２演出を実行可能にし、
前記第２演出において、遊技者に利益を提供することを示唆する第２当り演出を実行するときと、遊技者に利益を提供することを示唆する演出であって前記第２当り演出とは異なる第３当り演出を実行するときとがあり、
前記利益提供手段は、
前記第１演出において前記第１当り演出が実行されたとき、遊技者に第１の利益を提供可能であり、
前記第２演出において前記第２当り演出が実行されたとき、遊技者に前記第１の利益よりも利益度合いが低い第２の利益を提供可能であり、
前記第２演出において前記第３当り演出が実行されたとき、遊技者に前記第２の利益よりも利益度合が高い第３の利益を提供可能である、遊技機。
【請求項２】
前記演出実行手段は、前記前段演出において、装飾図柄を変動させることが可能であるとともに、当該装飾図柄を前記第１演出が実行される可能性があることを示唆する態様で停止させることが可能である、請求項１に記載の遊技機。
【請求項３】
遊技者に利益を提供するか否かを判定する利益提供判定手段と、
前記利益提供判定手段による判定結果に基づいて、遊技者に利益を提供することが可能な利益提供手段と、
前記利益提供判定手段による判定結果を報知する報知演出を実行する演出実行手段とを備え、
前記演出実行手段は、
前記報知演出において、遊技者に利益を提供する可能性が高いことを示唆する第１演出が実行されるか否かを示唆する前段演出を実行するとともに、当該前段演出の実行後、当該第１演出を実行可能にし、
前記第１演出において、遊技者に利益を提供することを示唆する第１当り演出を実行するときと、遊技者に利益を提供しない可能性があることを示唆する第１ハズレ演出を実行するときとがあり、
前記第１ハズレ演出が実行された後に、遊技者に利益を提供する可能性があることを示唆する第２演出を実行可能にし、
前記第２演出において、遊技者に利益を提供することを示唆する第２当り演出を実行するときと、遊技者に利益を提供しない可能性があることを示唆する第２ハズレ演出を実行するときとがあり、
前記利益提供手段は、
前記第１演出において前記第１当り演出が実行されたとき、遊技者に第１の利益を提供可能であり、
前記第２演出において前記第２当り演出が実行されたとき、遊技者に第２の利益を提供可能であり、
前記第２演出において前記第２ハズレ演出が実行されたとき、遊技者に利益を提供しないことがある、遊技機。
【請求項４】
前記演出実行手段は、前記前段演出において、装飾図柄を変動させることが可能であるとともに、当該装飾図柄を前記第１演出が実行される可能性があることを示唆する態様で停止させることが可能である、請求項３に記載の遊技機。
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
を備えた遊技機であって、
前記球送り手段は、金属板材からなる不正防止部材を具備し、
前記金属板材は、遊技球に付された線材が進入しうる隙間が形成されるように屈曲しており、遊技球に付された線材が前記隙間に進入することで、線材を用いた不正行為を困難にするものであり、
当該遊技機に前記球送り手段が設けられている状態であっても、前記金属板材が設けられているか否か確認できるように構成され、
前記通過口は、前記金属板材における前記隙間と連通しており、
前記金属板材の前記隙間は、前記通過口の、前記発射位置から発射された遊技球の進行方向側に位置し、
前記球送り手段には、前記金属板材の取り付けに際して前記金属板材の位置合わせが可能な位置合わせ部が設けられる
ことを特徴とする遊技機。
【手続補正２】
【補正対象書類名】明細書
【補正対象項目名】０００２
【補正方法】変更
【補正の内容】
【０００２】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
しかしながら、従来の遊技機では、線材を取り付けた遊技媒体を、通常の遊技媒体と同様に貯留部から遊技領域内へ発射して行うような不正行為については考慮されていなかった。
【手続補正６】
【補正対象書類名】明細書
【補正対象項目名】０００６
【補正方法】変更
【補正の内容】
【０００６】
そこで、本発明は上記の実情に鑑み、遊技媒体に線材を付着して行われる不正行為を抑止することが可能な遊技機の提供を課題とするものである。
【手続補正７】
【補正対象書類名】明細書
【補正対象項目名】０００７
【補正方法】変更
【補正の内容】
【０００７】
本発明は、
複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
を備えた遊技機であって、
前記球送り手段は、金属板材からなる不正防止部材を具備し、
前記金属板材は、遊技球に付された線材が進入しうる隙間が形成されるように屈曲しており、遊技球に付された線材が前記隙間に進入することで、線材を用いた不正行為を困難にするものであり、
当該遊技機に前記球送り手段が設けられている状態であっても、前記金属板材が設けられているか否か確認できるように構成され、
前記通過口は、前記金属板材における前記隙間と連通しており、
前記金属板材の前記隙間は、前記通過口の、前記発射位置から発射された遊技球の進行方向側に位置し、
前記球送り手段には、前記金属板材の取り付けに際して前記金属板材の位置合わせが可能な位置合わせ部が設けられる
ことを特徴とする。
また、本発明とは別の発明を以下に例示する。
手段１：遊技機において、
「遊技者の操作によって遊技媒体が打込まれる遊技領域と、
該遊技領域内に遊技媒体が打込まれることで変化する遊技状態に応じて前後方向へ延びた軸周りに回転するピニオンギアと、
該ピニオンギアと噛合する直線状のラックギア、及び該ラックギアの延びた方向に対して直角方向へ延びた当接部を有したスライダと、
該スライダを前記ラックギアの延びた方向へスライド可能に支持する直線状のスライド
レールと、
正面視で該スライドレールに支持された前記スライダの前記当接部に対して交差すると共に前記スライドレールに沿って非平行に延び、前記スライダの後側に配置された案内部と、
該案内部に夫々案内されると共に前記スライダの前記当接部に対して摺動可能に当接し、前記スライダの前方へ延出した一対の案内ピンと、
一対の該案内ピンの先端に固定され、立体的な装飾を有した装飾体と
を具備する」ものであることを特徴とする。
【手続補正８】
【補正対象書類名】明細書
【補正対象項目名】００５７
【補正方法】変更
【補正の内容】
【００５７】
本発明によれば、遊技媒体に線材を付着して行われる不正行為を抑止することが可能な遊技機を提供することができる。
【手続補正９】
【補正対象書類名】明細書
【補正対象項目名】１０５６
【補正方法】変更
【補正の内容】
【１０５６】
【特許文献１】特開２００８−７３３４０号公報
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
を備えた遊技機であって、
前記球送り手段は、金属板材からなる不正防止部材を具備し、
前記金属板材は、遊技球に付された線材が進入しうる隙間が形成されるように屈曲しており、遊技球に付された線材が前記隙間に進入することで、線材を用いた不正行為を困難にするものであり、
前記球送り手段を当該遊技機から取り外す際には、該球送り手段の取り外しとともに前記金属板材を当該遊技機から取り外すことが可能であり、
前記通過口は、前記金属板材における前記隙間と連通しており、
前記金属板材の前記隙間は、前記通過口の、前記発射位置から発射された遊技球の進行方向側に位置し、
前記金属板材には、遊技媒体に設けられた線材を前記隙間に向けて誘導可能な斜状の誘導部が形成され、
前記球送り手段には、前記金属板材を収容可能な収容部と、前記金属板材の取り付けに際して前記金属板材の位置合わせが可能な位置合わせ部が設けられる
ことを特徴とする遊技機。
【手続補正２】
【補正対象書類名】明細書
【補正対象項目名】０００２
【補正方法】変更
【補正の内容】
【０００２】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【特許文献１】特開２００８−７３３４０号公報
【手続補正６】
【補正対象書類名】明細書
【補正対象項目名】０００６
【補正方法】変更
【補正の内容】
【０００６】
しかしながら、従来の遊技機では、線材を取り付けた遊技媒体を、通常の遊技媒体と同様に貯留部から遊技領域内へ発射して行うような不正行為については考慮されていなかった。
【手続補正７】
【補正対象書類名】明細書
【補正対象項目名】０００７
【補正方法】変更
【補正の内容】
【０００７】
そこで、本発明は上記の実情に鑑み、遊技媒体に線材を付着して行われる不正行為を抑止することが可能な遊技機の提供を課題とするものである。
【手続補正８】
【補正対象書類名】明細書
【補正対象項目名】０００８
【補正方法】変更
【補正の内容】
【０００８】
手段１：複数の遊技球を貯留可能な貯留手段と、
前記貯留手段に貯留された遊技球を通過口を介して発射位置に送り出す球送り手段と、
前記球送り手段により前記発射位置に送り出された遊技球を遊技領域に向けて一つずつ発射可能な発射手段と、
を備えた遊技機であって、
前記球送り手段は、金属板材からなる不正防止部材を具備し、
前記金属板材は、遊技球に付された線材が進入しうる隙間が形成されるように屈曲しており、遊技球に付された線材が前記隙間に進入することで、線材を用いた不正行為を困難にするものであり、
前記球送り手段を当該遊技機から取り外す際には、該球送り手段の取り外しとともに前記金属板材を当該遊技機から取り外すことが可能であり、
前記通過口は、前記金属板材における前記隙間と連通しており、
前記金属板材の前記隙間は、前記通過口の、前記発射位置から発射された遊技球の進行方向側に位置し、
前記金属板材には、遊技媒体に設けられた線材を前記隙間に向けて誘導可能な斜状の誘導部が形成され、
前記球送り手段には、前記金属板材を収容可能な収容部と、前記金属板材の取り付けに際して前記金属板材の位置合わせが可能な位置合わせ部が設けられる
ことを特徴とする遊技機。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】変更
【補正の内容】
【００１１】
この発明によれば、遊技媒体に線材を付着して行われる不正行為を抑止することが可能な遊技機を提供することができる。
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
始動条件の成立により遊技者に有利な特別遊技を行うか否かの判定を行う判定手段と、
前記判定手段の判定結果に応じた演出を実行する演出実行手段と、
遊技者による操作の入力を受ける操作手段と、を備えた遊技機であって、
前記演出実行手段は、
前記特別遊技の実行の期待度が高いことを示唆する特別演出を実行する特別演出実行手段と、
前記特別演出を通じて前記特別遊技が実行されないことが示唆された後に、前記特別遊技の実行可能性の残存を示唆する第１示唆演出を実行可能な第１示唆演出実行手段と、
前記第１示唆演出の実行中に前記操作が入力されたとき、前記第１示唆演出に追加して、前記特別遊技の実行可能性の残存を示唆する第２示唆演出を実行可能な第２示唆演出実行手段と、を有し、
前記特別演出実行手段は、示唆される期待度が相対的に低い第１特別演出及び示唆される期待度が相対的に高い第２特別演出を含む複数の特別演出の何れかを実行可能であり、
前記第２示唆演出実行手段は、前記第１特別演出及び前記第２特別演出の内、前記第２特別演出を通じて前記特別遊技が実行されないことが示唆された後にのみ、前記第２示唆演出を実行可能であり、前記第２示唆演出の態様を前記判定手段の判定結果に応じて複数の態様の何れかとする
ことを特徴とする遊技機。
【手続補正２】
【補正対象書類名】明細書
【補正対象項目名】０００７
【補正方法】変更
【補正の内容】
【０００７】
本発明に係る遊技機は、始動条件の成立により遊技者に有利な特別遊技を行うか否かの判定を行う判定手段と、前記判定手段の判定結果に応じた演出を実行する演出実行手段と、遊技者による操作の入力を受ける操作手段と、を備えた遊技機であって、前記演出実行手段は、前記特別遊技の実行の期待度が高いことを示唆する特別演出を実行する特別演出実行手段と、前記特別演出を通じて前記特別遊技が実行されないことが示唆された後に、前記特別遊技の実行可能性の残存を示唆する第１示唆演出を実行可能な第１示唆演出実行手段と、前記第１示唆演出の実行中に前記操作が入力されたとき、前記第１示唆演出に追加して、前記特別遊技の実行可能性の残存を示唆する第２示唆演出を実行可能な第２示唆演出実行手段と、を有し、前記特別演出実行手段は、示唆される期待度が相対的に低い第１特別演出及び示唆される期待度が相対的に高い第２特別演出を含む複数の特別演出の何れかを実行可能であり、前記第２示唆演出実行手段は、前記第１特別演出及び前記第２特別演出の内、前記第２特別演出を通じて前記特別遊技が実行されないことが示唆された後にのみ、前記第２示唆演出を実行可能であり、前記第２示唆演出の態様を前記判定手段の判定結果に応じて複数の態様の何れかとすることを特徴とする。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打込まれる遊技領域を有した遊技盤と、
前記遊技盤を脱着可能に支持する本体枠と、
前記本体枠の前面に対して開閉可能に支持されると共に閉鎖した時に前記本体枠に支持された前記遊技盤の少なくとも前記遊技領域が遊技者側へ臨む遊技窓を有した扉枠と、
前記遊技窓の下方に形成され、前方に膨出して前記遊技媒体を貯留可能な皿部と、発光装飾可能な発光装飾部と、を有する皿発光装飾手段と、
前記皿発光装飾手段に近接して設けられ、前記遊技窓の外周の所定領域を装飾し、遊技者側へ向けて発光可能とされた第一発光装飾手段と、
前記遊技窓の外周の前記所定領域とは異なる領域を装飾し、前記第一発光装飾手段よりも前方に膨出し発光可能な膨出部を有する第二発光装飾手段と、
を備え、
前記皿発光装飾手段による装飾と前記第二発光装飾手段による装飾とで一体的な装飾をなしており、
前記第一発光装飾手段による装飾は、前記第二発光装飾手段と前記皿発光装飾手段による前記一体的な装飾とは異なる装飾をなしており、
前記皿発光装飾手段は、前記第二発光装飾手段の前記膨出部よりもさらに前方に膨出して形成され、
前記第二発光装飾手段は、前記遊技盤と対向した遊技者から視認容易となる内側面部と、前記遊技盤と対向した遊技者から視認困難となる外側面部とを有し、
前記内側面部は、前記遊技領域の周縁部へ向けて傾斜状に装飾され、前記外側面部の前記本体枠側へ向かう角度と比べて緩やかな角度となるように形成され、
前記本体枠の前面に対して開閉可能に支持された前記扉枠の開放側に前記膨出部が位置する
ことを特徴とする遊技機。
【手続補正２】
【補正対象書類名】明細書
【補正対象項目名】０００３
【補正方法】変更
【補正の内容】
【０００３】
この種の遊技機は、遊技盤を前側から脱着可能に支持し遊技ホールの島設備等に直接又は外枠等を介して取付けられる本体枠と、本体枠の前面を開閉し遊技盤の遊技領域が臨む遊技窓を有した扉枠とを備えていると共に、扉枠に発光可能とされた装飾部材を備えており、装飾効果を高めて遊技者を楽しませられるようにしている（例えば、特許文献１）。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
【特許文献１】特開２００９−１９５３５４公報
【手続補正５】
【補正対象書類名】明細書
【補正対象項目名】０００６
【補正方法】変更
【補正の内容】
【０００６】
しかしながら、このような従来の遊技機では、遊技者に対する訴求力が低く、遊技者の遊技に対する興趣を低下させてしまう虞があった。

【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
この発明は、こうした実情に鑑みてなされたものであり、訴求力が高く遊技者の関心を強く引付けられる遊技機を提供することを目的とする。

【手続補正８】
【補正対象書類名】明細書
【補正対象項目名】０００９
【補正方法】変更
【補正の内容】
【０００９】
こうした目的を達成するため、遊技者の操作によって遊技媒体が打込まれる遊技領域を有した遊技盤と、前記遊技盤を脱着可能に支持する本体枠と、前記本体枠の前面に対して開閉可能に支持されると共に閉鎖した時に前記本体枠に支持された前記遊技盤の少なくとも前記遊技領域が遊技者側へ臨む遊技窓を有した扉枠と、前記遊技窓の下方に形成され、前方に膨出して前記遊技媒体を貯留可能な皿部と、発光装飾可能な発光装飾部と、を有する皿発光装飾手段と、前記皿発光装飾手段に近接して設けられ、前記遊技窓の外周の所定領域を装飾し、遊技者側へ向けて発光可能とされた第一発光装飾手段と、前記遊技窓の外周の前記所定領域とは異なる領域を装飾し、前記第一発光装飾手段よりも前方に膨出し発光可能な膨出部を有する第二発光装飾手段と、を備え、前記皿発光装飾手段による装飾と前記第二発光装飾手段による装飾とで一体的な装飾をなしており、前記第一発光装飾手段による装飾は、前記第二発光装飾手段と前記皿発光装飾手段による前記一体的な装飾とは異なる装飾をなしており、前記皿発光装飾手段は、前記第二発光装飾手段の前記膨出部よりもさらに前方に膨出して形成され、前記第二発光装飾手段は、前記遊技盤と対向した遊技者から視認容易となる内側面部と、前記遊技盤と対向した遊技者から視認困難となる外側面部とを有し、前記内側面部は、前記遊技領域の周縁部へ向けて傾斜状に装飾され、前記外側面部の前記本体枠側へ向かう角度と比べて緩やかな角度となるように形成され、前記本体枠の前面に対して開閉可能に支持された前記扉枠の開放側に前記膨出部が位置する
ことを要旨とする。

【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】変更
【補正の内容】
【００１１】
この発明によれば、訴求力が高く遊技者の関心を強く引付けられる遊技機を提供することが可能となる。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
制御コマンドを出力する遊技制御手段と、
前記制御コマンドを受信するコマンド受信手段と、
受信された前記制御コマンドに応じて演出を実行する制御を行う演出制御手段と、
遊技に係わる演出画像及び演出音を記憶する記憶手段と、
前記演出制御手段による制御に基づいて、前記記憶手段に記憶される前記演出画像を表示装置に表示する制御を行う表示制御手段と、
前記演出制御手段による制御に基づいて、前記記憶手段に記憶される前記演出音を音声出力手段に出力させる制御を行う音声制御手段と、を備え、
前記演出は、非特定演出と、該非特定演出の後に行われる特定演出と、を含み、
前記演出画像は、変動表示される複数の演出図柄を含み、
前記演出音は、前記非特定演出の実行中に出力される第１の演出音と、前記特定演出の実行中に出力される前記第１の演出音とは異なる第２の演出音と、を含み、
前記表示制御手段は、
前記非特定演出の実行中は、前記複数の演出図柄の夫々が前記第１の演出音に連動して変動表示され、前記特定演出の開始後、前記複数の演出図柄の夫々が前記第２の演出音に連動して表示位置を変化させるように表示制御を行うことを特徴とする遊技機。
【手続補正２】
【補正対象書類名】明細書
【補正対象項目名】０００６
【補正方法】変更
【補正の内容】
【０００６】
本発明は、上述の課題を解決するためになされたものであり、以下の形態により実現することが可能である。
第１の形態の遊技機は、制御コマンドを出力する遊技制御手段と、前記制御コマンドを受信するコマンド受信手段と、受信された前記制御コマンドに応じて演出を実行する制御を行う演出制御手段と、遊技に係わる演出画像及び演出音を記憶する記憶手段と、前記演出制御手段による制御に基づいて、前記記憶手段に記憶される前記演出画像を表示装置に表示する制御を行う表示制御手段と、前記演出制御手段による制御に基づいて、前記記憶手段に記憶される前記演出音を音声出力手段に出力させる制御を行う音声制御手段と、を備え、前記演出は、非特定演出と、該非特定演出の後に行われる特定演出と、を含み、前記演出画像は、変動表示される複数の演出図柄を含み、前記演出音は、前記非特定演出の実行中に出力される第１の演出音と、前記特定演出の実行中に出力される前記第１の演出音とは異なる第２の演出音と、を含み、前記表示制御手段は、前記非特定演出の実行中は、前記複数の演出図柄の夫々が前記第１の演出音に連動して変動表示され、前記特定演出の開始後、前記複数の演出図柄の夫々が前記第２の演出音に連動して表示位置を変化させるように表示制御を行う遊技機を特徴とする。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
長手方向及び幅方向を有し且つ当該長手方向に折り畳まれた吸収性物品と、収納空間を備え、前記収納空間に前記吸収性物品を気密状態で収納する包装体とを含む、吸収性物品の個包装体であって、
前記包装体が包装シートにより構成されており、前記包装体が、前記吸収性物品と一緒に、１以上の折軸を基点に折り畳まれている前記包装シートにより区画される前記収納空間と、折り畳まれた前記包装シートを、前記長手方向の両側部においてシールしている、一対のシール部とを有し、
前記包装シートが、前記１以上の折軸により２以上のシート片に区画され、そして前記２以上のシート片のそれぞれが、気密層と、当該気密層よりも融点の低い融着層とを含み、
前記一対のシール部のそれぞれにおいて、お互いに隣接する２つの前記シート片の融着層同士が融着しており、
前記一対のシール部のそれぞれにおいて、お互いに隣接し且つ融着している２つの前記シート片の融着層同士の剥離力が、お互いに隣接する２つの前記シート片のそれぞれにおける、前記融着層及び前記気密層の間の剥離力よりも小さく、そして
前記一対のシール部のそれぞれが、２５ｍｍ当たり１０．０Ｎ以下の剥離強度を有する、
ことを特徴とする、前記個包装体。
【請求項２】
前記一対のシール部のそれぞれにおいて、お互いに隣接し且つ融着している２つの前記シート片の融着層の一方又は両方の融着面が、コロナ処理又はプラズマ処理されている、請求項１に記載の個包装体。
【請求項３】
前記一対のシール部のそれぞれにおいて、お互いに隣接する２つの前記シート片の気密層同士が融着していない、請求項１又は２に記載の個包装体。
【請求項４】
前記一対のシール部のそれぞれにおいて、前記融着層の厚さが、前記気密層の厚さよりも厚い、請求項１〜３のいずれか一項に記載の個包装体。
【請求項５】
前記融着層が、ポリオレフィン系ポリマーであり、そして前記気密層が、エチレンビニルアルコールコポリマー、塩化ビニリデン系ポリマー、ポリビニルアルコール、及びナイロンから成る群から選択される、請求項１〜４のいずれか一項に記載の個包装体。
【請求項６】
請求項１〜５のいずれか一項に記載の、複数の個包装体を含む、吸収性物品のパッケージ。
【請求項７】
請求項１〜５のいずれか一項に記載の個包装体の製造方法であって、
前記包装シートを、前記吸収性物品と一緒に、１以上の折軸を基点に折り畳み、前記収納空間を形成するステップ、及び
折り畳まれた前記包装シートを、前記長手方向の両側部において、前記融着層の軟化点超且つ前記気密層の軟化点未満の温度でシールすることにより、折り畳まれた前記包装シートに、一対のシール部を形成するステップ、
を含む、前記製造方法。
【請求項８】
前記融着層の前記軟化点が、前記気密層の前記軟化点よりも１０〜５０℃低い、請求項７に記載の方法。
【手続補正書】
【提出日】平成29年9月21日(2017.9.21)
【手続補正１】
【補正対象書類名】特許請求の範囲
【補正対象項目名】全文
【補正方法】変更
【補正の内容】
【特許請求の範囲】
【請求項１】
シートクッションとシートバックとを備えた車両用シートであって、
前記シートクッションは、
溝が形成されたパッド部と、
前記パッド部の表面を覆う複数のシートカバーと、
前記複数のシートカバーのうちの２枚のシートカバーとそれぞれ接続して前記２枚のシ
ートカバーを前記パッド部に形成された前記溝の内部で前記パッド部に固定する吊り部材
とを有し、
前記吊り部材の前記２枚のシートカバーのうちの一方のシートカバーと接続する部分と
前記吊り部材の前記２枚のシートカバーのうちの他方のシートカバーと接続する部分との
間に微小な穴を複数形成し、前記吊り部材を挟んで前記パッド部に形成された前記溝の内
部と前記溝の外部との間で通気性を有することを特徴とする車両用シート。
【請求項２】
請求項１記載の車両用シートであって、前記シートバックは、溝が形成されたパッド部
と、前記パッド部の表面を覆う複数のシートカバーと、前記複数のシートカバーのうちの
２枚のシートカバーとそれぞれ接続して前記２枚のシートカバーを前記パッド部に形成さ
れた前記溝の内部で前記パッド部に固定する吊り部材とを有し、前記吊り部材の前記２枚
のシートカバーのうちの一方のシートカバーと接続する部分と前記吊り部材の前記２枚の
シートカバーのうちの他方のシートカバーと接続する部分との間に微小な穴を複数形成し
、前記吊り部材を挟んで前記パッド部に形成された前記溝の内部と外側との間で通気性を
有することを特徴とする車両用シート。
【請求項３】
請求項１又は２に記載の車両用シートであって、前記シートクッションは、送風機と、
前記送風機と前記パッド部とを接続するダクトとをさらに備え、前記送風機から排出した
空気を前記ダクトを介して前記パッド部に形成した前記溝に送り出し、前記溝から前記吊
り部材に形成した複数の前記微小な穴を通して前記シートクッションの外部に排出することを特徴とする車両用シート。
【請求項４】
請求項１又は２に記載の車両用シートであって、前記吊り部材に形成された複数の前記微小な穴は、前記シートクッションに搭乗者が着座した状態で前記着座した搭乗者によって塞がれない位置に形成されていることを特徴とする車両用シート。
【請求項５】
シートクッションとシートバックとを備えた車両用シートであって、
前記シートクッションは、
溝が形成されたパッド部と、
前記パッド部の表面を覆う複数のシートカバーと、
前記複数のシートカバーのうちの２枚のシートカバーと接続して前記２枚のシートカバ
ーを前記パッド部に形成された前記溝の内部で前記パッド部に固定する吊り部材とを有し
、
前記パッド部に形成された前記溝の内部で前記２枚のシートカバーの前記吊り部材と接
続する部分の近傍に微小な穴が複数形成されており、前記２枚のシートカバーを挟んで前
記パッド部に形成された前記溝の内部と前記溝の外部との間で通気性を有することを特徴
とする車両用シート。
【請求項６】
請求項５記載の車両用シートであって、前記シートバックは、溝が形成されたパッド部
と、前記パッド部の表面を覆う複数のシートカバーと、前記複数のシートカバーのうちの
２枚のシートカバーとそれぞれ接続して前記２枚のシートカバーを前記パッド部に形成さ
れた前記溝の内部で前記パッド部に固定する吊り部材とを有し、前記パッド部に形成され
た前記溝の内部で前記２枚のシートカバーの前記吊り部材と接続する部分の近傍に微小な
穴が複数形成されており、前記２枚のシートカバーを挟んで前記パッド部に形成された前
記溝の内部と外側との間で通気性を有することを特徴とする車両用シート。
【請求項７】
請求項５又は６に記載の車両用シートであって、前記吊り部材に形成された複数の前記微小な穴は、前記シートクッションに搭乗者が着座した状態で前記着座した搭乗者によって塞がれない位置に形成されていることを特徴とする車両用シート。
【請求項８】
シートクッションとシートバックとを備えた車両用シートであって、
前記シートクッションは、
溝が形成されたパッド部と、
前記パッド部の表面を覆う複数のシートカバーと、
前記複数のシートカバーのうちの２枚のシートカバーと接続して前記２枚のシートカバ
ーを前記パッド部に形成された前記溝の内部で前記パッド部に固定する吊り部材とを有し
、
前記２枚のシートカバー又は前記吊り部材の前記溝の内部に位置する箇所には複数の微
小な穴が形成されており、前記複数の微小な穴により前記溝の内部と前記溝の外部の前記
シートカバーの表面の側との通気性が確保されていることを特徴とする車両用シート。
【請求項９】
請求項８記載の車両用シートであって、前記シートバックは、溝が形成されたパッド部
と、前記パッド部の表面を覆う複数のシートカバーと、前記複数のシートカバーのうちの
２枚のシートカバーとそれぞれ接続して前記２枚のシートカバーを前記パッド部に形成さ
れた前記溝の内部で前記パッド部に固定する吊り部材とを有し、前記２枚のシートカバー
又は前記吊り部材の前記溝の内部に位置する箇所には複数の微小な穴が形成されており、
前記複数の微小な穴により前記溝の内部と前記溝の外部の前記複数のシートカバーの表面の側との通気性が確保されていることを特徴とする車両用シート。
【請求項１０】
請求項８又は９に記載の車両用シートであって、前記複数の微小な穴は、前記シートク
ッションに搭乗者が着座した状態で前記搭乗者によって塞がれない位置に形成されている
ことを特徴とする車両用シート。
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
エレベータの乗り場に行先階登録装置を設置し、乗客が乗り場で行先階を登録する方式におけるエレベータ装置の行先階登録装置の設置数演算装置であって、
パラメータを入力するパラメータ入力部と、前記パラメータとして前記行先階登録装置の種別を選択することを含み、パラメータが入力されることで、少なくとも前記行先階登録装置の必要数を出力する出力結果表示部を備えることを特徴とする行先階登録装置の設
置数演算装置。
【請求項２】
請求項1に記載の行先階登録装置の設置数演算装置であって、
前記出力結果表示部は、パラメータ入力部から設定されたパラメータを用いて所定時間内におけるエレベータ装置の輸送人数を算出する交通計算装置部と、前記行先階登録装置の種別による登録に要する時間を得て前記所定時間内における前記行先階登録装置の登録処理の入力者数を得て、前記輸送人数と前記入力者数の比として、前記行先階登録装置の必要数を算出する行先階登録装置必要数処理部とを含むことを特徴とする行先階登録装置の設置数演算装置。
【請求項３】
請求項２に記載の行先階登録装置の設置数演算装置であって、
前記パラメータには、エレベータの速度、設置台数、ドア幅、定員数、停止階床数等のエレベータ設置条件を含むことを特徴とする行先階登録装置の設置数演算装置。
【請求項４】
請求項２または請求項３に記載の行先階登録装置の設置数演算装置であって、
行先階登録装置の設置数演算装置は、入力したパラメータと、前記交通計算装置部及び前記行先階登録装置必要数処理部における処理過程で算出した値及び算出結果の値を含めて前記出力結果表示部に一覧表示していることを特徴とする行先階登録装置の設置数演算装置。
【請求項５】
エレベータの乗り場に行先階登録装置を設置し、乗客が乗り場で行先階を登録する方式におけるエレベータ装置の行先階登録装置の設置数演算装置であって、
設置数演算装置は、入力するパラメータと、最終的に得られる前記行先階登録装置の必要数を一覧表示する表示画面を備え、前記パラメータには前記行先階登録装置の種別と当該種別による登録に要する時間を含み、かつ前記表示画面には所定時間内におけるエレベータ装置の輸送人数と、前記所定時間内における前記行先階登録装置の登録処理の入力者数が表示されていることを特徴とする行先階登録装置の設置数演算装置。
【請求項６】
エレベータの乗り場に行先階登録装置を設置し、乗客が乗り場で行先階を登録する方式におけるエレベータ装置の行先階登録装置の設置数演算方法であって、
所定時間内におけるエレベータ装置の輸送人数と、前記所定時間内における前記行先階登録装置の登録処理の入力者数の比として、前記行先階登録装置の必要数を算出することを特徴とする行先階登録装置の設置数演算方法。
【請求項７】
請求項６に記載の行先階登録装置の設置数演算方法であって、
前記登録処理の入力者数を、前記行先階登録装置の機種別の登録処理時間から求めることを特徴とする行先階登録装置の設置数演算方法。
【請求項８】
請求項６または請求項７に記載の行先階登録装置の設置数演算方法であって、
前記エレベータ装置の輸送人数を、エレベータの速度、設置台数、ドア幅、定員数、停止階床数等のエレベータ設置条件に応じて定めることを特徴とする行先階登録装置の設置数演算方法。